(57)【要約】【課題】  本発明は高度な室内試験用の高品質地盤試料を採取、特に粘性土、砂質土から細礫までの未固結地盤を対象とする貫入式地盤試料採取装置に関する。【解決手段】水圧ピストンでチューブを連続的に貫入しながら潤滑剤を試料とチューブ間に押出して潤滑ゾーンを形成し試料の乱れを防ぐと共に、圧入型キャッチャで試料の脱落を防ぐ一連の動作を送水するだけで自動的に実行する機構を有する貫入式地盤試料採取装置【選択図】図４
2008002065.tif 000002
【特許請求の範囲】
【請求項１】
ボーリングロッドの先端にサンプラーヘッドを取り付け、これに接続する外管に水密で摺動する貫入用ピストンを嵌め込み、このピストンには外管内径より小さい外径の貫入管が接続され、それに内接する試料収納管との二重管からなり、先端部には外テーパー角が7度程度で収納管内径より僅かに小さい内径のシューが貫入管に接続され、シュー上面と試料収納管との間には収納管に代わり同じ径と厚さの鋸状下向きのキャッチャが嵌め込まれ、収納管上端部は貫入管をシリンダーとするキャッチャ作動用ピストンに接合され貫入用ピストンの下面に接し、シュー位置にはシュー内径と同じ径の固定ピストンがセットされることで出来た空間に潤滑剤が封入され、固定ピストンは、中心にピストン固定ロッドを有し、キャッチャ作動用ピストンと貫入用ピストンの中心を水密で摺動可能な状態で貫通してヘッドに結合されているサンプラーを試料採取深度に降ろし、ロッドの上下動が無いように地上で固定し、ロッドに加圧水を注入しヘッド内の水路を通って加圧ピストンとキャッチャ作動用ピストンが下方に同時に押出されると、シューが孔底地盤に貫入し、試料がサンプラー内に入り、その体積分の潤滑剤が固定ピストンと試料収納管の環状間隙に押出され試料を包み込みながらシュー上部の排出孔から排出され、所定長貫入すると切替バルブが自動的に作動して貫入ピストンとキャッチャ作動用ピストンの間に加圧水が注入され、貫入ピストンが静止状態でキャッチャ作動用ピストンが下降して、シュー上面とキャッチャの鋸状下面先頭部の接触圧で先頭部が内側に曲がりながら試料端部に突き刺ささり、試料を落下させずに採取できることを特徴とする貫入式地盤試料採取装置。
【請求項２】
サンプラーヘッド上端にサンプラーと同径乃至それ以上で、長さがサンプラー長以上或いは地上まで曲げ剛性の大きい振れ止め管を剛接ししてサンプラー圧入時の傾斜角を小さくすることを特徴とする請求項1記載の貫入式地盤試料採取装置。
【請求項３】
サンプリング孔口の保孔パイプにフレキシブルホースあるいはフレキシブルなジョイントで接続された水頭管の中に水を入れて採取試料の上端部まで水中に入っている状態でサンプラーを引上げ、保孔パイプ上端部で折り曲げてサンプラーを横にした状態でとり出すことを特徴とする請求項1記載の貫入式地盤試料採取装置。
【発明の詳細な説明】
【技術分野】
【０００１】
本発明は、地盤試料採取方法に関し、地盤工学上必要とされる力学的な乱れの非常に少ない高品質地盤試料を確実に採取する貫入式地盤試料採取装置に関する。
【背景技術】
【０００２】
地盤の力学的特性値は、地中から試料を採取する時の乱れの程度により異なる。したがって、如何に乱れの少ない試料を採取できるかが地盤調査の重要なテーマである。
礫質土の場合は、礫粒子を切削して採取することになるが、土粒子径の小さい砂質土や粘性土では、土粒子を切削する必要がないので、硬質な地盤でなければチューブを地中に圧入して採取する方法が一般的である。
【０００３】
チューブ圧入法には、地盤工学会編集「地盤調査の方法と解説２００６」にあるように、刃先の付いた薄肉チューブの先端部にピストンを装着し、ボーリングロッドでチューブを圧入する時にピストンが上下動しないようにロッドの中を通したエクステンションロッドで地上にて固定した状態で圧入する「固定ピストン式シンウォールサンプラー」(地盤工学会基準ＪＧＳ１２２１)が軟弱な粘性土で最もよく使われている。
これより少し硬い地盤まで適用できる同じ基準の「水圧式サンプラー」（後述、図１，２，３に示す）も多用されている。この他に、単に薄肉チューブを圧入する方法(シェルビーチューブサンプラーなど) 、ピストンを固定しないフリーピストン式、試料収納管を内装したコンポジットサンプラーなどがある。この中から本件発明に関係する水圧サンプラーについて以下に説明する。
【０００４】
水圧式サンプラーは、図１，２，３に示すようにボーリングロッド１の先端にサンプラーヘッド２をねじ込み接合してボーリング孔の中に挿入する。
サンプラーはシリンダーにあたる外管６をヘッド２に接合し、その中には貫入管７を地中に圧入するための貫入用ピストン４が嵌め込まれ、このピストン４の下面には貫入管ヘッド５が接合されている。
貫入管７の先端部には、ヘッド２に接合されたピストン固定ロッド３で、ピストン４と貫入管ヘッド５を水密かつ摺動可能な状態で貫通し、固定ピストン９が装着され、貫入管７の内部はピストンが深度方向に固定され貫入管が圧入されるとこの中に試料が取り込まれる試料収納空間８となっている。図1に示すように、サンプラーを孔内に入れ、固定ピストン９が孔底に接したらロッド２を地上で固定し上下動しないようにする。
次に図２に示すように、ロッド１から圧力水を注入し、ヘッド２内の貫入用水路１０を通って水圧室１１に達し、ピストン４を押し下げることで貫入管７を孔底地盤に圧入して試料収納空間８内に試料を取り込む。この中の流体は、貫入管ヘッド５内の水抜き孔１２から孔内に排出される。
図３に示すように、所定の深度まで貫入管７を圧入すると、貫入停止用水抜き孔１３から圧力水が放出され貫入管７の圧入は停止する機構となっている。
【０００５】
採取地盤がある程度硬くなると貫入が困難になること、砂質或いは礫質土地盤などは試料を地上に引き上げる時に落下し易いことなどの理由でコアキャッチャを装着することが多い。
しかし、その結果、貫入管などの肉厚が厚くなり貫入が困難になるため、貫入管の外側を回転切削するための外管を有する「ロータリー式二重・三重管サンプラー」（ＪＧＳ
１２２２，１２２３）などが用いられている。
また、硬質地盤では単管にメタル或いはダイヤモンドビットをつけて、回転切削により地盤を円柱状に切り取る「ロータリー式シングルコアチューブサンプラー」がある。これらのうち、当該発明に直接関係の深いサンプリング法について以下に説明する。
【０００６】
特願平１−１６１１２９「コアキャッチャ強制圧入装置内蔵型試料採取方法および装置」と特願平３−２９５９２２「コアキャッチャ強制圧入専用装置内臓型地盤試料採取方法とその装置」は、双方とも回転切削などで試料をサンプラー内に取り込み、次に、先端部を鋸状或いは短冊状に加工したキャッチャ部を専用の水圧ジャッキで内側に折り曲げることで試料の落下を防止するものである。
典型例を図４に示す。ボーリングロッド1の先端部にサンプラーヘッド２をねじ込み接合する。これに回転切削外管１７を取り付け、その先端部には弧状切削ビット２１を装着する。
このビット２１の上面は、内側に傾斜する弧状に加工されている。外管１７の中には試料収納管（押圧伝達管）１８が内接され、その頭部は外管１７に嵌め込まれたキャッチャ作動用ピストン１６に接続している。
押圧伝達管１８の下端とビット２１上面の間には鋸状に下方が加工されたキャッチャ２０が嵌め込まれている。サンプラーを図４「圧入前」の状態で孔内に降ろし、回転切削しながら所定の長さまでコアリングして試料をサンプラー内に取り込む。
次に、キャッチャ作動用圧力水管１４から水圧室１５に圧力水を注入して、ピストン１６により押圧伝達管１８を下降させると、キャッチャ２０はビット２１の上面で内側に折り曲げられながら試料１９の下端部に突き刺さり試料を切断閉塞することで、試料の落下を防止する機構になっている（図４「圧入後」参照）。
【０００７】
特願平１１−２７９１６０「粒状体地盤コアバーレル」は、図５に要約図を示す。ロッド1の先端部にサンプラーヘッド２をねじ込み接合する。
先端部に平ビット２６を装着した回転切削用外管１７をヘッド２に接続する。
外管の先端部にはバルブ付ピストン２５を嵌め込み、外管１７の内部に出来た潤滑剤（高濃溶液）収納空間２３に水溶性ポリマーなどの高濃溶液を封入した状態で地盤を回転切削して収納空間２３に試料を取り込む。
試料を取込んだ体積分のポリマー液は、ヘッド２に装着した高濃液封入逆止バルブ２２により閉塞されているため、ピストン２５に装着された高濃液排出バルブ２４から放出され、採取試料の外周と外管１７の内側に出来た環状のスリットを通ってビット２６からサンプラーの外に排出される。
ポリマー液は、この間、試料を包み込み補強し、かつ外管１７との摩擦を低減することが出来るため高品質試料の採取が可能である。かつ、ビット２６面では堀屑を取込みながら切削熱を低下させる機能を有している。
【特許文献１】特願平１−１６１１２９
【特許文献２】特願平３−２９５９２２
【特許文献３】特願平１１−２７９１６０
【発明の開示】
【発明が解決しようとする課題】
【０００８】
技術背景では、主として当該発明に直接的に関係する技術に重点をおいて述べた。発明の主眼は、土粒子を切削しないで採取可能な緩〜中硬質の粘性土、砂質土、細礫などを対象とする。
したがって、回転切削型ではなく貫入型サンプリングに属し、採取試料の品質は極めて高品質なものを目標としている。
以下に、刃先の付いた薄肉管の貫入式サンプラーの課題を列記する。
(１)貫入管の内面と試料との摩擦により試料が圧縮されること。
(２) 貫入管外周面と地盤との摩擦抵抗により貫入が困難になること。
(３) 貫入管の刃先の貫入により試料が乱れること。
(４) 貫入力が大きくなるとロッドの変形や座屈でサンプラーが蛇行するため乱れること。
(５) サンプラー引上げ時、試料下端面での根切りによる試料の乱れと試料の落下。
(６) サンプラー引上げ時の試料下端面付近に発生する真空圧による乱れと落下。
(７) サンプラーを引き上げ時、ボーリング孔内や孔口での試料の落下。
【課題を解決するための手段】
【０００９】
前記の７項目の課題に対する解決手段を以下に示す。
(１)貫入管の内面と試料との摩擦を低下させるため、試料を採取しながら試料外周面に潤滑剤を塗布する。或いは摩擦低減を効率的に行うため潤滑薄層を設ける。
(２)貫入管外周面と地盤との摩擦抵抗を低下させるため、外周面に潤滑剤を塗布し、かつシューの外径を圧入管外径より少し大きくするフリクションカッターを設ける。
(３)貫入管の刃先の貫入による試料の乱れを小さくするため、刃先は外テーパーとし、その角度は７度乃至それ以下とする。
(４)貫入時サンプラーの蛇行を防止するため前述の摩擦抵抗を低下させる他に、サンプラー外径と同径の振れ止め管をヘッドに装着させる。
(５)試料下端面での引きちぎりによる試料の乱れと試料の落下を無くすため、水圧作動で半球状に曲がる鋸状コアキャッチャで試料の先端部を切断してサンプラー下端部を閉塞する。
(６)サンプラー引上げ時の試料下端面付近に発生する真空圧による乱れと落下を防ぐため、ケーシングパイプで追い切りする。
(７)サンプラーを引き上げる時、ボーリング孔内や孔口での試料の落下を防ぐため、孔口上部に折込自在の仮想孔を設ける。
【００１０】
当該発明の請求項１は、上記の解決手段のうち、(１)から(５)項まで取り入れたものである。以下に、請求事項の順に発明に関し具体的に示す。
貫入型サンプラーとし、具体的には図1に示す「水圧式サンプラー」、図４に示す「コアキャッチャ強制圧入式」、図５に示す「潤滑流体圧入式」のそれぞれの利点を生かし、これらを合体し、新機能を付加することで、更なる高品質試料の採取を可能とする。
【発明の効果】
【００１１】
以上の説明から明らかなように、本発明にあっては次に列挙する効果が得られる。
採取試料と試料収納管内面との摩擦を高潤滑性流体による試料周面に形成される環状の薄い潤滑層を形成することで低下させることが出来たこと、その結果、採取試料に摩擦による圧縮応力などが働かず高品質試料が採取できたこと。
この潤滑剤がサンプラー外管外側に排出されることで、かつフリクションカッター付きのシューにより圧入力が更に低減されたため、適用地盤の範囲が広がったこと。シューの貫入による採取試料の乱れが無いように刃先角度を規定したこと。
【００１２】
シューの貫入による試料の取り込みと同時に、潤滑液で試料の外周を保護しながら摩擦を低減し、かつ使用後の潤滑液をサンプラーの外側に排出することで外面摩擦も低下させサンプラーの貫入抵抗を低減するなどの摩擦低減方策を同時に実施し、所定の長さの試料を取り込んだ時点でキャッチャが作動して試料の脱落防止を図ることなどの試料採取に関わる主要な部分は加圧水を注入するだけで自動的に行うことができた。
【００１３】
請求項２により、サンプラー貫入時の蛇行がなくなり、試料に曲げ変形などの品質の低下が見られなくなること。また、請求項３により、粘着性の無いシルトや微砂などのサンプラー下端部からの流出が無くなったこと。
【発明を実施するための最良の形態】
【００１４】
以下、図６ないし図１３に示す本発明を実施するための最良の形態により、本発明を詳細に説明する。
【００１５】
図６ないし図８に示す本発明の請求項１の最良の第1の実施の形態において、図１に示すものとの違いは、貫入管７を二重管とし、図４と同様内側に試料収納管（押圧伝達管）１８とコアキャッチャ２０を追加したことである。
図４の回転切削用の弧状シュー２１の代わりに、弧状部を最小限にし、外テーパーの角度を７度乃至それ以下の貫入専用のシュー２７とした。
また、サンプラー内に取込んだ試料の外径は、試料収納管１８の内径より僅かに小さく(シューの内径を小さく)し、かつ外側の地盤との摩擦を低減させるため、シュー２７は貫入管７の外径より僅かに大きくしたフリクションカッターをつけてある。
図１の固定ピストン９は、図５のバルブ付ピストン２５を簡略化したものとし、潤滑剤収納空間２３にポリマ−などの潤滑剤を封入して、この中から採取試料体積分を押出すため、ピストン９の径を試料収納管１８より僅かに小さくしてバルブ２４の代替としている。
図１の貫入管ヘッド５の代わりに図4のコアキャッチャ作動用ピストン１６をつけることで潤滑剤の上部からの出口を閉鎖している。
貫入用ピストン４には、外管６にあけた貫入用ピストン固定孔２８に臍を差込み(図７参照) 、所定の位置でピストンの貫入が停止するピストンストッパー２９が装着され、かつ水圧室１１の圧力が上がると圧力作動バルブ３０が開き、貫入ピストン４が停止した状態で作動用ピストン１６が下降するようになっている。
その結果、試料収納管１８を介してコアキャッチャ２０をシュー２７の上面に押付けて内側に曲げながら試料を切断して下部を閉塞することになる(図８参照)。
図４との大きな相違は、ロッド１を地上で固定して浮き上らないようにしてから、加圧水を注入すると水圧ジャッキによって貫入管７は圧入され、所定の深度まで入ると貫入ストッパー２９は外管に設けられた貫入用ピストン固定孔２８に臍が入り自動停止すると同時に、水圧が上昇するため圧力作動バルブ３０が働き、水圧室１１内の圧力水は貫入用ピストン４を貫通してキャッチャ作動水圧室３１に加圧水が入りキャッチャ作動用ピストン１６を押し下げてキャッチャ２０が自動閉塞する一連の挙動を自動的に行うことである。
【００１６】
サンプリングは、サンプラー内に取込んだ試料と試料収納管内面との摩擦が大きければ採取が困難ではあるが、試料の脱落する可能性は少なく前述のキャッチャの必要性は高くない。
従って、従来の貫入式サンプラーのほとんどはキャッチャを装備していない。現在用いられている貫入管は引抜き鋼管(真鍮、スチール、ステンレスなど)で、内面は粗で、大きな摩擦が働くことは知られているが、通常は何ら摩擦低減処理をしていない。これは摩擦があると試料を乱すことは公知であるが、それよりも試料の脱落の方が問題だからである。
摩擦低減材質管或いは摩擦低減表面加工を行っても、角張った石英質砂粒子等からなる地盤では直ぐに効果は低下するなどの理由もあり進歩していない。
【００１７】
当該発明は、地盤と接して摩擦が発生するシュー、試料収納管、貫入管外側などについては、専用の補助具を使用して二硫化モリブデンなどを塗り込むこと、ポリマーなどの高潤滑性剤を土との境界面の隙間に圧入する潤滑ゾーンの形成などにより、徹底的に摩擦を低減して地盤の乱れを阻止することが盛り込まれている。
これは、例え摩擦がゼロであっても試料を落下させないで採取可能なキャッチャその他の工夫との結合があって可能になることである。
【００１８】
請求項２について説明する(図１２参照)。当該発明は、地盤とサンプラーとの摩擦を低減することで試料の品質を向上させようとするもので、通常の同径のサンプラーよりは貫入力は小さくなるが、通常使用されているボーリングロッドは４０ｍｍクラスであるので貫入時の蛇行はまぬかれない。
図１２に示すようにシュー２７からヘッド２の区間で傾斜可能な最大値はヘッドが孔壁に付いた時である。
これに対し、振れ止め管をつければ区間長が長くなった分傾斜角度は小さくなる。
そこで、サンプラーと同径乃至それ以上(ボーリング孔径、保孔管内径に近い)の高剛性の振れ止め管３８をサンプラーヘッド４に剛接し、押込み時の傾斜を小さくする。
サンプラーは最初はほぼ垂直に立っているが押込み荷重が大きくなるにつれてロッド１が曲がり傾斜角が大きくなるのを防ぐためで、ボーリング孔径或いは保孔管径がサンプラー外径に近いほど良い。
また、振れ止め管３８は長いほど良く、図１２に点線で示すように地上まで長くするのが最も良いが、最低でもサンプラー長以上としたい。
非常に深い場合などは保孔管先端部に圧着して保孔管を反力機構に組み入れるのが得策である。
【００１９】
請求項３について説明する(図１３参照)。当該発明のサンプラーは、キャッチャが強制的に作動するようになっているので試料の落下は生じないが、孔口付近の孔内水位付近で細粒土が流出する事が無いようにしたい。
これは、サンプラーが孔内水位以深で上昇速度が速くなければ細粒土の流出は生じないが、孔内水面付近ではサンプラー内の水圧の方が高くなるので試料の粒土組成によっては細粒土が流出しかねない。
そこで、口元管にフレキシブルホースを接続、或いはフレキシブルジョイントで水頭管を接続し、サンプラー長以上の高さまで垂直に伸ばし、中に水を張った状態でサンプラーをこの中まで引上げてから図１３に示すように口元管上部で折り曲げ横にした状態でサンプラーを取り出して試料収納管を引き出す方法と、口元管上部で栓をしてからホース内の水位を徐々に下げ、サンプラーを立てた状態で試料を取り出す方法がある。
【００２０】
図９ないし図１１に示す本発明の請求項１を実施するための第２の形態において、ボーリングロッド１に繋がる貫入用水路１０を有するサンプラーヘッド２に水圧ジャッキのシリンダー部に相当する外管６に水密で摺動する貫入用ピストン４を嵌め込んで水圧室１１を構成し、このピストン４には外管６の内径より小さい外径の貫入管７が接続され、それに内接する試料収納管１８との二重管からなり、先端部には外テーパー角が７度程度で収納管１８の内径より僅かに小さい内径のシュー２７が貫入管７に接続され、シュー２７上面と試料収納管１８との間には試料収納管に代わり同じ径と厚さの鋸状下向きのキャッチャ２０が嵌め込まれ、収納管１８の上端部は貫入管７をシリンダーとするキャッチャ作動用ピストン１６に接合され、貫入用ピストン４の下面に接し、シュー２７位置にはシュー内径と同じ径の固定ピストン９がセットされることで出来た潤滑剤収納空間２３に潤滑剤が封入されている。
【００２１】
固定ピストン９は、中心にピストン固定ロッド３を有し、ヘッド２と剛接されている。このロッドの外周には、ピストン４に対し水密で摺動するキャッチャ作動管３７が一端は固定ピストン９に、他端はヘッド２に接合され、かつ貫入用水路１０と連結している。
この作動管３７の更に外側には貫入用ピストン４に接続された回路切替管３４がキャッチャ作動用ピストン１６と水密で摺動し、かつ貫入ピストン４内の切替水路３３と連結する溝が作動管３７にそって設けてあるが下端面は水密で摺動するようになっている。
作動管３７の下端部は、底のある二重管からなるキャッチャ作動バルブ３６に接合され、このバルブ３６は、固定ロッド３に接する側は隙間があり水圧がバルブ３６の下面にも作用する構造で、通常は作動管３７に設けられたキャッチャ作動用孔３５はバルブ３６の内管の外面で止水されている(図９の状態)
【００２２】
貫入用ピストン４とキャッチャ作動用ピストン１６がヘッド２に最も近い状態にセットされ、固定ピストン９はシュー２７の位置にある。図示していない固定ピストン９に設けられた注入孔兼排気口から潤滑液を潤滑剤収納空間２３内に注入して密封する。
この状態で潤滑液がシュー２７との間から漏れないように、すばやく立てて孔内水中に挿入する。
サンプラーが孔底に達したらボーリングロッド１を上下動しないように地上で固定してからロッド１を介して圧力水を注入すると、圧力水はヘッド２内の貫入用水路１０を通って水圧室１１に達し、貫入用ピストンを下降させてシュー２７を圧入させながら試料を試料収納管１８内に取り込む。
この間、採取試料と同体積のポリマー濃厚液などの潤滑剤が固定ピストン９と試料収納管１８との環状スリットから流出し、試料外周面を保護し、環状の薄肉摩擦低減ゾーンを形成しながらシュー２７の上部に設けてある潤滑剤排出孔３２から排出され、これがシュー２７のフリクションカットで出来た貫入管７の外側の環状スリットに押出され、この摩擦も低減させる機構になっている。
【００２３】
図１０に示すように、所定の長さの貫入で、貫入ピストン９に接続しているキャッチャ作動切替管３４が下降し、固定ピストン９にセットしてある回路切替弁３６の外側の管上端部に当り、切替弁全体を下降させることで、貫入用水路１０、作動管３７、キャッチャ作動孔３５、キャッチャ作動切替管の内側の溝、キャッチャ作動水路３３そしてキャッチャ作動水圧室３１が繋がり、キャッチャ作動用ピストン１６が下降して試料収納管１８を介してキャッチャ２０の鋸状刃先をシュー２７の上面で内側に曲げながら試料に貫通させ脱落を防止する機構になっている(図１１の状態)。
【００２４】
上記のように、潤滑剤を封入したサンプラーを孔底にセットし、地上でアンカーしてからロッドに加圧水を注入するだけで、所定の長さまで採取し、その間、試料に働く摩擦を低減し、貫入力も低減させることで高品質の試料を取り込み、かつ、自動的にキャッチャが作動して試料の落下を防ぐことが出来る機構を特徴とするサンプラーである。
【産業上の利用可能性】
【００２５】
近年、益々高度な地盤と基礎の解析が可能となってきた。また、一律に定められた基準や指針による解析、設計ではなく、個々の重要度や安全性に着目した経済的な設計が望まれている。
そのためには地中から高品質の試料を採取して高度な試験を行い、個々の地盤の定数を求めることが望まれている。
【図面の簡単な説明】
【００２６】
【図１】貫入管を収納した状態の水圧式サンプラーの断面図。
【図２】貫入管が作動中の状態の水圧式サンプラーの断面図。
【図３】貫入管が突出した状態の水圧式サンプラーの断面図。
【図４】コアキャッチャ強制圧入式サンプラー原理図。
【図５】粒状体地盤コアバーレル(高濃液潤滑流体圧入式サンプラー)原理図。
【図６】本発明を実施するための最良の第１の形態の貫入管が作動する状態の縦断面図。
【図７】本発明を実施するための最良の第１の形態の貫入管が突出した状態の縦断面図。
【図８】本発明を実施するための最良の第１の形態のキャッチャが作動した状態の縦断面図。
【図９】本発明を実施するための第２の形態の貫入管が作動する状態の縦断面図。
【図１０】本発明を実施するための第２の形態の貫入管が突出した状態の縦断面図。
【図１１】本発明を実施するための第２の形態のキャッチャが作動した状態の縦断面図。
【図１２】振れ止め管の説明図。
【図１３】仮想孔の説明図。
【符号の説明】
【００２７】
１
：ボーリングロッド、      ２
：サンプラーヘッド、
３
：ピストン固定ロッド、    ４
：貫入用ピストン、
５
：貫入管ヘッド、          ６
：外管、
７
：貫入管、                ８
：試料収納空間、
９
：固定ピストン、          １０：貫入用水路、
１１：水圧室、                １２：試料収納水抜き孔、
１３：貫入停止用水抜き孔、
１４：キャッチャ作動用圧力水管、
１５：水圧室、                １６：キャッチャ作動用ピストン、
１７：回転切削用外管、        １８：試料収納管、
１９：試料、                  ２０：キャッチャ、
２１：弧状切削ビット、        ２２：高濃液封入逆止バルブ、
２３：潤滑剤収納空間、        ２４：潤滑剤排出バルブ、
２５：機能付加先端ピストン、  ２６：平ビット、
２７：シュー、                ２８：貫入用ピストン固定孔、
２９：ピストンストッパー、    ３０：圧力作動バルブ、
３１：キャッチャ作動水圧室、  ３２：潤滑剤排出孔、
３３：キャッチャ作動水路、    ３４：キャッチャ作動切替管、
３５：キャッチャ作動用孔、    ３６：回路切替弁、
３７：作動管、                ３８：振れ止め管上端、
３９：仮想孔内水位、
４０：フレキシブルホースまたは水頭管、
４１：フレキシブルジョイント、４２：保孔管。
【図１】
2008002065.tif 000003
【図２】
2008002065.tif 000004
【図３】
2008002065.tif 000005
【図４】
2008002065.tif 000006
【図５】
2008002065.tif 000007
【図６】
2008002065.tif 000008
【図７】
2008002065.tif 000009
【図８】
2008002065.tif 000010
【図９】
2008002065.tif 000011
【図１０】
2008002065.tif 000012
【図１１】
2008002065.tif 000013
【図１２】
2008002065.tif 000014
【図１３】
2008002065.tif 000015